(57)【要約】      （修正有）【課題】壁等の固定物から外さずに、簡単に絶縁抵抗試験を行うことができる床暖房コントローラを提供する。【解決手段】床暖房コントローラは、回路収納箱４０内に配置された制御回路部の一次側接続線及び二次側接続線、並びにアース接続線のそれぞれに絶縁抵抗試験用の試験端子が電気的に接続可能な試験端子接続部が設けられている。取付プレート２０には、カバー体が取付プレート２０から取り外された際に、一次側接続線、二次側接続線及びアース接続線の各試験端子接続部に対して、絶縁抵抗試験用の試験端子の接続を許容する透孔が設けられている。【選択図】図２
0003175557.tif 000002
【実用新案登録請求の範囲】
【請求項１】
固定物に対して取付けられる取付プレートと、前記取付プレートの表面を覆うように、かつ前記取付プレートに対して着脱自在に取り付けられ、操作盤を有するカバー体と、前記取付プレートの裏面側に設けられた回路収納箱と、前記回路収納箱内に配置された制御回路部と、前記制御回路部の一次側及び二次側にそれぞれ設けられ、電源側と負荷側にそれぞれ接続される一次側接続線及び二次側接続線と、前記回路収納箱内に配置されるとともにアース線に接続されるアース接続線を備え、前記一次側接続線、二次側接続線、及び前記アース接続線のそれぞれは絶縁抵抗試験用の試験端子が電気的に接続可能な試験端子接続部が設けられ、前記取付プレートには、前記カバー体が前記取付プレートから取り外された際に、前記一次側接続線、二次側接続線、及び前記アース接続線の各試験端子接続部に対して、絶縁抵抗試験用の試験端子の接続を許容する接続許容部が設けられていることを特徴とする床暖房コントローラ。
【請求項２】
前記一次側接続線、及び二次側接続線の試験端子接続部は、パッド型またはメス型の試験端子接続部であることを特徴とする請求項１に記載の床暖房コントローラ。
【請求項３】
前記一次側接続線、及び二次側接続線の前記試験端子接続部は、取付プレート表面から飛び出さないように配置されていることを特徴とする請求項２に記載の床暖房コントローラ。
【請求項４】
前記アース接続線の試験端子接続部は、前記アース接続線に接続された接続部であり、該接続部は、前記取付プレートの表面から突出する導電性アダプタが着脱自在に接続されることを特徴とする請求項１乃至請求項３のうちいずれか１項に記載の床暖房コントローラ。
【請求項５】
前記接続許容部が、前記取付プレートに設けられた透孔であることを特徴とする請求項１乃至請求項４のうちいずれか１項に記載の床暖房コントローラ。
【請求項６】
前記固定物が、建物の壁部であることを特徴とする請求項１乃至請求項５のうちいずれか１項に記載の床暖房コントローラ。
【考案の詳細な説明】
【技術分野】
【０００１】
本考案は、床暖房コントローラに関する。
【背景技術】
【０００２】
従来から床暖房装置であるヒータパネルをフローリング床等の下に設けた場合、前記ヒータパネルをコントロールする床暖房コントローラは、当該フローリングの部屋の壁に埋め込み配置されている。上記のような床暖房装置を施工する場合、施工業者がフローリング等の床の下にヒータパネルを配置し、床暖房コントローラを壁等に取り付けした後に、電気工事士が完成確認試験のためにアース線と床暖房コントローラに接続される一次側配線間の絶縁抵抗試験を行っている。
【０００３】
なお、従来技術の一般的な床暖房コントローラについては特許文献１が公知である。
【先行技術文献】
【特許文献】
【０００４】
【特許文献１】特開平８−２７０９６２号公報
【考案の概要】
【考案が解決しようとする課題】
【０００５】
上記のように電気工事士が絶縁抵抗試験を行う場合、一次側配線とアース線が壁の内部に埋め込んで施工されているため、床暖房コントローラの外部からは容易に絶縁抵抗ができない構造となっている。このため、施工業者が壁に取り付けた床暖房コントローラ全体を、壁から一旦外した上で、壁内に配線された一次側配線とアース線の端部、及び二次側配線とアース線の端部を見つけて、それぞれ絶縁抵抗試験を行う必要があり、この結果、絶縁抵抗試験の作業が非常に手間が掛かる問題があった。
【０００６】
本願考案の目的は、床暖房コントローラ全体を壁等の固定物から外す必要がなく、簡単に絶縁抵抗試験を行うことができる床暖房コントローラを提供することにある。
【課題を解決するための手段】
【０００７】
上記問題点を解決するために、請求項１の考案は、固定物に対して取付けられる取付プレートと、前記取付プレートの表面を覆うように、かつ前記取付プレートに対して着脱自在に取り付けられ、操作盤を有するカバー体と、前記取付プレートの裏面側に設けられた回路収納箱と、前記回路収納箱内に配置された制御回路部と、前記制御回路部の一次側及び二次側にそれぞれ設けられ、電源側と負荷側に接続される一次側接続線及び二次側接続線と、前記回路収納箱内に配置されるとともにアース線に接続されるアース接続線を備え、前記一次側接続線、二次側接続線、及び前記アース接続線のそれぞれは絶縁抵抗試験用の試験端子が電気的に接続可能な試験端子接続部が設けられ、前記取付プレートには、前記カバー体が前記取付プレートから取り外された際に、前記一次側接続線、二次側接続線、及び前記アース接続線の各試験端子接続部に対して、絶縁抵抗試験用の試験端子の接続を許容する接続許容部が設けられていることを特徴とする床暖房コントローラを要旨としている。
【０００８】
請求項２の考案は、請求項１において、前記一次側接続線、及び二次側接続線の試験端子接続部は、パッド型またはメス型の試験端子接続部であることを特徴とする。
請求項３の考案は、請求項２において、前記一次側接続線、及び二次側接続線の前記試験端子接続部は、取付プレート表面から飛び出さないように配置されていることを特徴とする。
【０００９】
請求項４の考案は、請求項１乃至請求項３のうちいずれか１項において、前記アース接続線の試験端子接続部は、前記アース接続線に接続された接続部であり、該接続部は、前記取付プレートの表面から突出する導電性アダプタが着脱自在に接続されることを特徴とする。
【００１０】
請求項５の考案は、請求項１乃至請求項４のうちいずれか１項において、前記接続許容部が、前記取付プレートに設けられた透孔であることを特徴とする。
請求項６の考案は、請求項１乃至請求項５のうちいずれか１項において、前記固定物が、建物の壁部であることを特徴とする。
【考案の効果】
【００１１】
請求項１の考案によれば、床暖房コントローラ全体を壁等の固定物から外す必要がなく、簡単に絶縁抵抗試験を行うことができる床暖房コントローラを提供できる。
請求項２の考案によれば、パッドまたはメス型の試験端子接続部により、絶縁抵抗試験の際、絶縁抵抗測定機のオス型電極を接続することができる。
【００１２】
請求項３の考案によれば、前記メス型の試験端子接続部は、取付プレート表面から飛び出さないように配置されているため、カバー体の裏面と取付プレート間の間隔を狭くすることができ、床暖房コントローラの大きさを抑制できるばかりか、絶縁抵抗試験のときに充電部となる試験端子接続部が取付プレートの表面に露出しないために感電防止ができる。
【００１３】
請求項４の考案によれば、導電性アダプタが着脱自在となっているため、絶縁抵抗試験のときのみ、導電性アダプタを取付ければ、絶縁抵抗試験が可能となり、導電性アダプタを取り外せば、カバー体の裏面と取付プレート間の間隔を狭くすることができ、床暖房コントローラの大きさを抑制できる。
【００１４】
請求項５の考案によれば、接続許容部が取付プレートに設けられた透孔とすることにより、カバー体を取り外した際、該透孔を介して、絶縁抵抗測定器が備えている試験端子の試験端子接続部に対する接続を許容できる。
【００１５】
請求項６の考案によれば、床暖房コントローラの取付プレートを建物の壁部に対して取付けすることにより、当該壁部から、床暖房コントローラ全体を外す必要が無くなる。
【図面の簡単な説明】
【００１６】
【図１】一実施形態の床暖房コントローラの斜視図。
【図２】取付プレートの斜視図
【図３】床暖房コントローラを壁部に取り付けられた状態の概略側面図。
【図４】床暖房コントローラからカバー体を外した状態の概略側面図。
【図５】取付プレートの正面図。
【図６】床暖房コントローラの制御回路部とコントローラ外部配線の接続関係を示す説明図。
【考案を実施するための形態】
【００１７】
以下、本考案を具体化した床暖房コントローラの一実施形態を図１〜図６を参照して説明する。
図３、図４に示すように床暖房コントローラ１０は、取付プレート２０と、取付プレート２０に対して着脱自在に取り付けられたカバー体３０と、取付プレート２０の裏面に対して取り付けられた回路収納箱４０と、回路収納箱４０内に収納された制御回路部５０を有している。図２に示すように取付プレート２０は、四角板状に形成されるとともにその表面の適宜部位に複数個の長孔２１が形成され、図３、図４に示すように該長孔２１を介して固定物としての家屋の壁部Ｈに設けられた開口Ｋの周縁に対してビス等の締付け部材４にて着脱自在に取り付けられている。なお、取付プレート２０は四角板状に限定されるものではなく、円板状、楕円板状等の他の形状であってもよい。
【００１８】
回路収納箱４０は、図３、図４に示すように底壁４１と、底壁４１の周部から立設された側壁４２により有底箱状に形成され、図２に示すように側壁４２から突出された複数の係止爪４３が、取付プレート２０に透設された複数の係止孔２２に対してそれぞれ挿入されて、係止孔２２の周縁に対して着脱自在に係合されている。
【００１９】
回路収納箱４０の底壁４１には、制御回路部５０を搭載した基板４４が取付け固定されている。図６に示すように制御回路部５０は、一対のリレー制御部５１，５２からなる。リレー制御部５１，５２の一次側（入力側）は、基板４４に設けられた一次側接続線５３ａ，５３ｂ，５４ａ，５４ｂを介して、壁部Ｈ内に配線された２相の電源配線Ｌ１，Ｌ２に接続された接続端子部５５，５６に接続されている。また、リレー制御部５１，５２の二次側（出力側）は、基板４４に設けられた二次側接続線５７ａ，５７ｂ，５８ａ，５８ｂを介して、壁部Ｈ内に配線された二次側配線Ｌ３〜Ｌ６が接続されている接続端子部５９，６０に接続されている。二次側配線Ｌ３〜Ｌ６は、フローリング等の床の下に配置された一対のヒータパネルＨａ，Ｈｂに接続されている。また、図６に示すように、一対のヒータパネルＨａ，Ｈｂの外部を覆うように導電性のアース部材Ｅａ，Ｅｂが配置されている。前記アース部材Ｅａ，Ｅｂは、アース線Ｅを介して接地されている。
【００２０】
図６に示すように一次側接続線５３ａ，５３ｂ，５４ａ，５４ｂには、基板４４に固定された試験端子接続部としてのパッド型の接触子７１〜７４が電気的に接続されている。接触子７１〜７４は、メス型でもよい。また、図６に示すように二次側接続線５７ａ，５７ｂ，５８ａ，５８ｂには、基板４４に固定された試験端子接続部としてのパッド型の接触子７５〜７８が電気的に接続されている。接触子７５〜７８はメス型でもよい。なお、パッド型であれば、メス型よりも簡単な構成となるため、コストを抑制することができる。前記接触子７１〜７８は、図２に示すように、取付プレート２０に透設された透孔８１〜８８に相対して配置されている。このように、接触子７１〜７８は、取付プレート２０の表面から飛び出さないように、すなわち、露出しないように配置されている。透孔８１〜８８は、図示しない絶縁抵抗測定器が備えているオス型の試験端子が挿入可能な大きさに形成され、挿入されたオス型の試験端子が接触子７１〜７８との接触を許容する。透孔８１〜８８は、接続許容部に相当する。
【００２１】
また、図６に示すように、基板４４にはアース接続線９０が設けられている。アース接続線９０は、アース線Ｅに接続された分岐アース線Ｅｓに対して基板４４に設けられた端子電極９２を介して接続されている。アース接続線９０には、基板４４に対して固定された接続部及び試験端子接続部としての端子電極９２が設けられている。端子電極９２は、円柱状に形成されるとともに、先端面中央に図４に示すように接続挿入孔９３が設けられている。端子電極９２は、図２に示す取付プレート２０に透設された透孔８９に相対して配置されている。端子電極９２の先端は、カバー体３０が取付プレート２０から外された状態では、透孔８９を介して図２、図４に示すように、断面が所定の形状を有する角柱状の導電性アダプタ９５が接続挿入孔９３に対して着脱自在に挿入可能となっている。導電性アダプタ９５の接続挿入孔９３に対する挿入脱着方法は、限定されるものではなく、例えば、接続挿入孔９３に雌ねじ部を持たせ、導電性アダプタ９５の先端部に雄ネジ部を持たせて脱着自在にネジ込みしたり、接続挿入孔９３をメス型の接触子を設けて、直線移動により、挿入脱着を行うようにしてもよい。導電性アダプタ９５を端子電極９２に挿入することにより、図２に示すように、取付プレート２０から導電性アダプタ９５が突出した状態となる。
【００２２】
このように、端子電極９２に後述する絶縁抵抗測定器のワニ口クリップ（図示しない）が咬着可能な導電性アダプタ９５が取付可能になっていることから、導電性アダプタ９５が挿入可能な透孔８９は、絶縁抵抗試験用の試験端子の接続許容部となる。
【００２３】
カバー体３０は、取付プレート２０を覆うように有蓋箱状に形成されている。すなわち、カバー体３０は、表示装置３１を備える蓋壁３２と、蓋壁３２の下部に連結された操作盤３３と、蓋壁３２及び操作盤３３の周縁から取付プレート２０側に立設されるとともに取付プレート２０の周縁部に外嵌可能な側壁３４と、操作盤３３の前面（表面）を覆うように操作盤３３下部に対して開閉自在に設けられたカバー３５を備えている。
【００２４】
カバー体３０は、蓋壁３２及び操作盤３３の表面から挿入された複数のビス等の締め付け部材９４が、取付プレート２０の表面（前面）に設けられた雌ねじ孔を有するボス部２５に対して着脱自在に取付られている。
【００２５】
なお、蓋壁３２に対して、カバー体３０を取付プレート２０に対して取付けした場合、締め付け部材９４の頭を蓋壁３２に没入するために孔３２ａが形成されるとともに、孔３２ａには、目隠し部材９６が着脱自在に嵌合されている。そして、カバー体３０を取付プレート２０から取り外す際は、目隠し部材９６を取り外して、締め付け部材９４を取付プレート２０から螺退する。
【００２６】
操作盤３３または表示装置３１の裏面側には、図示しない接続端子が設けられており、該接続端子は図２、図５に示す取付プレート２０の表面に設けられた接続端子部９７に対して着脱自在に接続されている。この接続により、操作盤３３の入力操作に応じて操作盤からリレー制御部５１，５２に各種の制御信号が出力可能にされている。
【００２７】
（実施形態の作用）
さて、上記のように構成された床暖房コントローラ１０の作用について説明する。なお、説明の便宜上、図３に示すように施工業者が、床暖房コントローラ１０を壁部Ｈに取付けた状態から説明する。
【００２８】
この状態では、カバー体３０が取付プレート２０に取り付けられているため、まず、作業者は、図１の目隠し部材９６を外して、蓋壁３２側の締め付け部材９４を螺退させて取り外すとともに、カバー３５を開いて、操作盤３３側の締め付け部材９４を螺退させて取り外す。この後、取付プレート２０からカバー体３０を外す。次に、図４に示すように、導電性アダプタ９５を端子電極９２に対して挿入し、図２に示すように導電性アダプタ９５を取付プレート２０から突出させた状態にする。
【００２９】
そして、図示しない絶縁抵抗測定器のワニ口クリップ（図示しない）を導電性アダプタ９５に咬着させる。この状態で、作業者は、図６の電源Ａにおいてリレー制御部５１の一次側（入力側）の試験の場合には、電源配線Ｌ１，Ｌ２に接続された電源をオンの状態で、図示しない絶縁抵抗測定器が備えているオス型の試験端子（図示しない）を、透孔８１に挿入して、パッド型の接触子７１に接続する絶縁抵抗試験を行う。以下、同様にしてオス型の試験端子（図示しない）を、透孔８２に挿入して、パッド型の接触子７２に接続して絶縁抵抗試験を行う。さらに、リレー制御部５２の一次側（入力側）の試験の場合、上記と同様にオス型の試験端子（図示しない）を、透孔８３に挿入して、パッド型の接触子７３に接続して絶縁抵抗試験を行う。また、リレー制御部５２の一次側（入力側）の試験の場合、上記と同様にオス型の試験端子（図示しない）を、透孔８４に挿入して、パッド型の接触子７４に接続して絶縁抵抗試験を行う。
【００３０】
さらに、図６の電源Ａにおいてリレー制御部５１の二次側（出力側）の試験の場合には、図示しない絶縁抵抗測定器のワニ口クリップ（図示しない）を導電性アダプタ９５に咬着させた状態で、かつ、電源配線Ｌ１，Ｌ２に接続された電源をオンの状態で、オス型の試験端子（図示しない）を、透孔８５に挿入して、パッド型の接触子７５に接続して絶縁抵抗試験を行う。以下、同様にして、透孔８６，８７，８８にそれぞれオス型の試験端子（図示しない）を挿入して、パッド型の接触子７６，７７，７８にそれぞれ接触して絶縁抵抗試験を行う。絶縁抵抗試験が終了した後は、導電性アダプタ９５を取り外した後、カバー体３０を取り外したときとは反対の作業を行ってカバー体３０を取付プレート２０に取り付けして図１及び図３の状態に戻す。
【００３１】
本実施形態の床暖房コントローラは下記の特徴を有する。
（１）  本実施形態の床暖房コントローラ１０は、壁部Ｈ（固定物）に対して取付けられる取付プレート２０と、取付プレート２０の表面を覆うように、かつ取付プレート２０に対して着脱自在に取り付けられ、操作盤３３を有するカバー体３０と、取付プレート２０の裏面側に設けられた回路収納箱４０と、回路収納箱４０内に配置された制御回路部５０と、制御回路部５０の一次側（入力側）及び二次側（出力側）にそれぞれ設けられ、電源側と負荷側にそれぞれ接続される一次側接続線５３ａ，５３ｂ，５４ａ，５４ｂ及び二次側接続線５７ａ，５７ｂ，５８ａ，５８ｂと、回路収納箱４０内に配置されるとともにアース線Ｅに接続されるアース接続線９０を備える。また、床暖房コントローラ１０は、一次側接続線５３ａ，５３ｂ，５４ａ，５４ｂ、二次側接続線５７ａ，５７ｂ，５８ａ，５８ｂ、及びアース接続線９０のそれぞれは絶縁抵抗試験用の試験端子が電気的に接続可能な接触子７５〜７８、端子電極９２（試験端子接続部）が設けられ、取付プレート２０には、カバー体３０が取付プレート２０から取り外された際に、一次側接続線５３ａ，５３ｂ，５４ａ，５４ｂ、二次側接続線５７ａ，５７ｂ，５８ａ，５８ｂ、及びアース接続線９０の各試験端子接続部に対して、絶縁抵抗試験用の試験端子の接続を許容する透孔８１〜８９（接続許容部）が設けられている。この結果、床暖房コントローラ全体を壁等の固定物から外す必要がなく、簡単に絶縁抵抗試験を行うことができる。
【００３２】
（２）  本実施形態の床暖房コントローラ１０は、一次側接続線５３ａ，５３ｂ，５４ａ，５４ｂの接触子７１〜７４（試験端子接続部）、二次側接続線５７ａ，５７ｂ，５８ａ，５８ｂの接触子７５〜７８（試験端子接続部）は、パッド型またはメス型としている。この結果、本実施形態によれば、パッドまたはメス型の接触子７１〜７８により、絶縁抵抗試験の際、絶縁抵抗測定機のオス型電極を接続することができる。
【００３３】
（３）  本実施形態の床暖房コントローラ１０は、一次側接続線５３ａ，５３ｂ，５４ａ，５４ｂの接触子７１〜７４（試験端子接続部）、及び二次側接続線５７ａ，５７ｂ，５８ａ，５８ｂの接触子７５〜７８（試験端子接続部）は、取付プレート表面から飛び出さないように配置されている。この結果、接触子７１〜７８が取付プレート２０表面から飛び出さないように配置されているため、カバー体３０の裏面と取付プレート２０間の間隔を狭くすることができ、床暖房コントローラ１０の大きさを抑制できるばかりか、絶縁抵抗試験のときに充電部となる試験端子接続部が取付プレートの表面に露出しないために感電防止ができる。
【００３４】
（４）  本実施形態の床暖房コントローラ１０は、アース接続線９０の試験端子接続部は、アース接続線９０に接続された端子電極９２（接続部）とし、端子電極９２を取付プレート２０の表面から突出する導電性アダプタ９５が着脱自在に接続される。この結果、本実施形態によれば、導電性アダプタ９５が着脱自在となっているため、絶縁抵抗試験のときのみ、導電性アダプタ９５を取付ければ、絶縁抵抗試験が可能となり、導電性アダプタ９５を取り外せば、カバー体３０の裏面と取付プレート２０間の間隔を狭くすることができ、床暖房コントローラの大きさを抑制できる。
【００３５】
（５）  本実施形態の床暖房コントローラ１０は、接続許容部が、取付プレート２０に設けられた透孔８１〜８９としていることにより、カバー体３０を取り外した際、該透孔を介して、絶縁抵抗測定器が備えている試験端子の試験端子接続部に対する接続を許容できる。
【００３６】
（６）  本実施形態の床暖房コントローラ１０は、固定物が、建物の壁部に対して取付けすることにより、当該壁部から、床暖房コントローラ全体を外す必要が無くなる。
本考案の実施形態は前記実施形態に限定するものではなく、下記のように変更してもよい。
【００３７】
・  導電性アダプタ９５及び、端子電極９２の代わりに、パッド型の電極、或いはメス型の電極に変えても良い。この場合、透孔８９は、透孔８１と同様の接続許容部に相当する。
【符号の説明】
【００３８】
Ｅ…アース線、Ｈ…壁部、  １０…床暖房コントローラ、
２０…取付プレート、３０…カバー体、３３…操作盤、４０…回路収納箱、
５０…制御回路部、５３ａ，５３ｂ，５４ａ，５４ｂ…一次側接続線、
５７ａ，５７ｂ，５８ａ，５８ｂ…二次側接続線、
８１〜８９…透孔（接続許容部）、９０…アース接続線、９５…導電性アダプタ。
【図１】
0003175557.tif 000003
【図２】
0003175557.tif 000004
【図３】
0003175557.tif 000005
【図４】
0003175557.tif 000006
【図５】
0003175557.tif 000007
【図６】
0003175557.tif 000008